(57)【要約】【課題】電気部品を電源装置及び電気負荷等に接続するとともに、分岐導体を有することでバスバー使用量を削減し、製造コストを抑制することができる端子接続具、及び電気接続箱を提供する。【解決手段】端子接続具５ａは、リレー等の電気部品の表面から突出した通電用端子を、電源装置や電気負荷等の外部装置に接続される電線に接続する。端子接続具５ａは、導電性の筒体５１を有し、筒体５１の一端部５１ａから挿入される通電用端子を第１係止部により係止し、筒体５１の他端部５１ｂから一端部が挿入される接続片５５を第２係止部５２ｂより係止する。接続片５５の他端部には前記電線を接続する。分岐導体５４は筒体５１の一側壁５１ｃの側面に溶着又は半田付け等によって固着されており、筒体５１の側方へ突出する。【選択図】図５
2015019470.tif 000002
【特許請求の範囲】
【請求項１】
電気部品の表面から突出した端子を他の外部装置に接続される電線に接続するための端子接続具であって、
導電性の筒体と、
該筒体の一端側から挿入される前記端子を係止する第１係止部と、
前記筒体の他端側から一端部を挿入し、他端部に前記電線を接続する接続片と、
前記一端部を係止する第２係止部と、
前記筒体の側面に固着されており、該筒体の側方へ突出する分岐導体と
を備えることを特徴とする端子接続具。
【請求項２】
前記分岐導体の先端部が屈曲していることを特徴とする請求項１に記載の端子接続具。
【請求項３】
前記分岐導体の先端部が二股以上に分岐していることを特徴とする請求項１又は請求項２に記載の端子接続具。
【請求項４】
請求項１から請求項３のいずれか１つに記載の端子接続具と、
前記電気部品を装着し、前記端子接続具を内部に設けてあるケーシングと
を備えることを特徴とする電気接続箱。
【発明の詳細な説明】
【技術分野】
【０００１】
本発明は、例えば車輌に搭載されたリレー等の電気部品を電源装置及び電気負荷に電気的に接続するための端子接続具、及び電気接続箱に関する。
【背景技術】
【０００２】
従来、車輌等においては、種々の電気部品を装着し、該電気部品を電気回路に接続する電気接続箱が用いられている。例えば電気接続箱は、電気部品としてリレーを装着し、該リレーを電源装置及び電気負荷間の電気回路に接続する。電源装置は、鉛バッテリ、リチウムイオン電池などであり、電気負荷は、車輌等に搭載された照明装置、電動式の窓開閉装置、空調装置、電気車輌における走行駆動系のモータなどである。近年では、車輌等が有する機能の多様化によって電気負荷の数が増加しており、リレーの数も増加する傾向にある。更に、リレーの数の増加や、リレーの大型化に伴って、リレーを電源装置及び電気負荷間の電気回路に接続するための接続構造の規模が大きくなる傾向にある。
【０００３】
特許文献１には、電気部品等の端子を中継接続するための端子接続具が記載されている。この端子接続具は、端子部、該端子部と一体成形されたタブ部を有する。端子部の上端部分には雄型接続端子を接続可能な端子挿着部が設けられている。また端子部の下端部分にも同様に端子挿着部が設けられている。タブ部は端子部の下端から延びる基部と、該基部の先端を屈曲して形成したタブ片とで構成されている。一の端子接続具のタブ片を他の端子接続具の端子挿着部に挿入して連結することで、バスバーに拠らずに端子接続具間の接続できるというものである。
【先行技術文献】
【特許文献】
【０００４】
【特許文献１】特開２００１−１９７６２３号公報
【発明の概要】
【発明が解決しようとする課題】
【０００５】
しかしながら、特許文献１に記載の端子接続具は、タブ部を端子部と一体成形しているため、リレー等の電気部品や回路構成の種類に応じてタブ部における基部の長さ寸法が異なる複数種類の端子接続具が必要な場合に、夫々の種類に応じて成形のための打ち抜き金型を用意しなければならず、コスト高になってしまうという問題点があった。
【０００６】
特に電気自動車やハイブリッド自動車等の車輌では、電源装置から数百アンペアの大電流が流れ、数百ボルトの高電圧が印加されるため、端子接続具が高電圧に耐えられるようにタブ部等を形成する板材の厚さ寸法を大きくした場合に、タブ部の折り曲げによって端子部の端子挿着部が変形してしまう可能性があるという問題点もあった。
【０００７】
本発明は、斯かる事情に鑑みてなされたものであって、電気部品を電源装置及び電気負荷等に接続するとともに、分岐導体を有することでバスバー使用量を削減し、製造コストを抑制することができる端子接続具、及び電気接続箱を提供することにある。
【課題を解決するための手段】
【０００８】
本発明に係る端子接続具は、電気部品の表面から突出した端子を他の外部装置に接続される電線に接続するための端子接続具であって、導電性の筒体と、該筒体の一端側から挿入される前記端子を係止する第１係止部と、前記筒体の他端側から一端部を挿入し、他端部に前記電線を接続する接続片と、前記一端部を係止する第２係止部と、前記筒体の側面に固着されており、該筒体の側方へ突出する分岐導体とを備えることを特徴とする。
【０００９】
本発明にあっては、端子接続具は、電気部品の表面から突出した端子を他の外部装置に接続される電線に接続する。端子接続具は導電性の筒体を有し、筒体の一端側から挿入される前記端子を第１係止部により係止し、筒体の他端側から一端部が挿入される接続片を第２係止部より係止する。接続片の他端部には前記電線を接続する。分岐導体は筒体の側面に固着されており、筒体の側方へ突出する。これにより、分岐導体を有することでバスバー使用量が削減され、筒体と別体で製造した分岐導体を筒体に固着することで、製造コストを抑制することができる。
【００１０】
本発明に係る端子接続具は、前記分岐導体の先端部が屈曲していることを特徴とする。
【００１１】
本発明にあっては、分岐導体の先端部が屈曲しているので、並設された他の端子接続具への接続が可能となる。
【００１２】
本発明に係る端子接続具は、前記分岐導体の先端部が二股以上に分岐していることを特徴とする。
【００１３】
本発明にあっては、分岐導体の先端部が二股以上に分岐しているので、端子接続具を２つ以上の接続箇所へ接続することができる。
【００１４】
本発明に係る電気接続箱は、上述のいずれか１つに記載の端子接続具と、前記電気部品を装着し、前記端子接続具を内部に設けてあるケーシングとを備えることを特徴とする。
【００１５】
本発明にあっては、電気接続箱はケーシングを有して電気部品を装着し、ケーシングの内部に上述のいずれか１つに記載の端子接続具を設ける。これにより、端子接続具が分岐導体を有することでバスバー使用量が削減されるので、電気接続箱の小型化を図ることができる。
【発明の効果】
【００１６】
本発明によれば、端子接続具は、電気部品の表面から突出した端子を他の外部装置に接続される電線に接続する。端子接続具は導電性の筒体を有し、筒体の一端側から挿入される前記端子を第１係止部により係止し、筒体の他端側から一端部が挿入される接続片を第２係止部より係止する。接続片の他端部には前記電線を接続する。分岐導体は筒体の側面に固着されており、筒体の側方へ突出する。このため、分岐導体を有することでバスバー使用量が削減され、筒体と別体で製造した分岐導体を筒体に固着することで、製造コストを抑制することができる。
【図面の簡単な説明】
【００１７】
【図１】実施の形態１に係る電気接続箱の外観を示す斜視図である。
【図２】実施の形態１に係る電気接続箱の分解斜視図である。
【図３】ケーシングを下側から見た外観を示す斜視図である。
【図４】ケーシングの平面図である。
【図５】端子接続具の外観を示す斜視図である。
【図６】端子接続具の縦断側面図である。
【図７】別種の端子接続具の外観を示す斜視図である。
【図８】上蓋を取り外した電気接続箱の斜視図である。
【図９】電子接続箱の回路構成を示す模式図である。
【図１０】実施の形態２に係る端子接続具の外観を示す斜視図である。
【図１１】端子接続具の筒体の外観を示す斜視図である。
【図１２】変形例に係る端子接続具の外観を示す斜視図である。
【図１３】他の変形例に係る端子接続具の外観を示す斜視図である。
【発明を実施するための形態】
【００１８】
（実施の形態１）
以下、本発明をその実施の形態を示す図面に基づき具体的に説明する。図１は実施の形態１に係る電気接続箱１００の外観を示す斜視図、図２は実施の形態１に係る電気接続箱１００の分解斜視図である。電気接続箱１００は例えば車輌に搭載されており、鉛バッテリ、リチウムイオン電池等の電源装置と、車輌装備品及び走行駆動系におけるモータ等の電気負荷との間に介装される。
【００１９】
電気接続箱１００は例えば直方体等の箱状をなし、側方を囲むケーシング１、上蓋３、内部に取り付けられる端子接続具５等を備える。電気接続箱１００はリレー７１〜７３及び抵抗器７４を下方から差し込んで装着する。上蓋３にはコネクタ部３１が設けてあり、電源装置及び電気負荷に接続される電線の端部に配したコネクタ（図示略）をコネクタ部３１に装着する。また、上蓋３には更にコネクタ部３２及び３３が設けてあり、リレー７１及び７２を制御するための制御信号線の端部に配したコネクタ（図示略）をコネクタ部３２に、リレー７３を制御するための制御信号線の端部に配したコネクタ（図示略）をコネクタ部３３に装着するようにしてある。
【００２０】
上蓋３は、蓋板３０、コネクタ部３１〜３３を備える。蓋板３０はケーシング１の上側の開口部を覆う。コネクタ部３１は、蓋板３０の外面に配してあり、断面が略矩形をなす有底筒状のコネクタハウジング３１ａ〜３１ｄを有する。コネクタハウジング３１ａ〜３１ｄは、電源装置及び電気負荷に接続される電線の端部に配したコネクタに嵌合する形状としてある。コネクタハウジング３１ａ〜３１ｄは、底面が蓋板３０の外面と略面一であり、該底面に蓋板３０を貫通する貫通孔４１ａ〜４１ｄが設けられている。貫通孔４１ａ〜４１ｄには後述する端子接続具５の各接続片が挿通されている。コネクタ部３２及び３３も同様に、制御信号線の端部に配したコネクタに嵌合する形状のコネクタハウジングを備え、底面に制御信号線に接続するための各接続片を挿通するための貫通孔が設けてある。
【００２１】
リレー７１は外表面から突出する通電用端子７１ａ及び７１ｂ、制御用端子７１ｃ及び７１ｄを有する。通電用端子７１ａは電源装置の＋極側に接続され、通電用端子７１ｂは電気負荷の＋端子側に接続される。リレー７１は、制御用端子７１ｃ及び７１ｄに接続する制御信号線を通じてオン／オフ制御を行い、通電用端子７１ａ及び７１ｂ間が通電／遮断状態となることによって、電源装置の＋極及び電気負荷の＋端子間が通電／遮断状態となる。同様にリレー７２は外表面から突出する通電用端子７２ａ及び７２ｂ、制御用端子７２ｃ及び７２ｄを有する。通電用端子７２ａは電源装置の−極側に接続され、通電用端子７２ｂは電気負荷の−端子側に接続される。リレー７２は、制御用端子７２ｃ及び７２ｄに接続する制御信号線を通じてオン／オフ制御を行い、通電用端子７２ａ及び７２ｂ間が通電／遮断状態となることによって、電源装置の−極及び電気負荷の−端子間が通電／遮断状態となる。
【００２２】
ケーシング１は、側壁部１０、支持板１１、接続具収容部１２〜１６等を有する。支持板１１は矩形状をなし、側壁部１０の上下方向の中途部に配置されており、端子接続具５を支持する。側壁部１０は、支持板１１の４辺を囲む側壁１０ａ〜１０ｄを有する。図３はケーシング１を下側から見た外観を示す斜視図である。ケーシング１は支持板１１に立設された仕切壁１０ｅ，１０ｆ，１０ｇ，１０ｈ，１０ｊを有する。リレー７１は側壁１０ａ、１０ｂ、及び仕切壁１０ｅ，１０ｆで囲まれる収容室に収容される。同様に、リレー７２は側壁１０ｂ，１０ｃ、及び仕切壁１０ｆ，１０ｇで囲まれる収容室に、リレー７３は側壁１０ａ、及び仕切壁１０ｅ，１０ｈ，１０ｊで囲まれる収容室に収容される。抵抗器７４は、側壁１０ｄ及び仕切壁１０ｊ間に収容し、係止片１０ｋ及び１０ｍにより下面を係止して抜け止めとする。
【００２３】
図４はケーシング１の平面図である。ケーシング１の接続具収容部１２は、４つのハウジング１２ａ〜１２ｄを有する。ハウジング１２ａ〜１２ｄは夫々、断面が矩形の有底筒状をなし、底面が支持板１１と略面一としてある。ハウジング１２ａ〜１２ｄの底面には夫々貫通孔２２ａ〜２２ｄが設けてある。貫通孔２２ａ〜２２ｄはリレー７１及び７２の各通電用端子を挿通すべく長孔状である。リレー７１の通電用端子７１ａは貫通孔２２ａに挿通され、通電用端子７１ｂは貫通孔２２ｂに挿通される。同様にリレー７２の通電用端子７２ａは貫通孔２２ｃに挿通され、通電用端子７２ｂは貫通孔２２ｄに挿通される。
【００２４】
ケーシング１の接続具収容部１３は、４つのハウジング１３ａ〜１３ｄを有する。ハウジング１３ａ〜１３ｄは夫々、断面が矩形の有底筒状をなし、底面が支持板１１と略面一としてある。ハウジング１３ａ〜１３ｄの底面には夫々貫通孔２３ａ〜２３ｄが設けてある。貫通孔２３ａ〜２３ｄはリレー７１及び７２の各制御用端子を挿通すべく長孔状である。リレー７１の制御用端子７１ｃは貫通孔２３ａに挿通され、制御用端子７１ｄは貫通孔２３ｂに挿通される。同様にリレー７２の制御用端子７２ｃは貫通孔２３ｃに挿通され、制御用端子７２ｄは貫通孔２３ｄに挿通される。
【００２５】
ケーシング１の接続具収容部１４は、２つのハウジング１４ａ及び１４ｂを有する。ハウジング１４ａ及び１４ｂは夫々、断面が矩形の有底筒状をなし、底面が支持板１１と略面一としてある。ハウジング１４ａ及び１４ｂの底面には夫々貫通孔２４ａ及び２４ｂが設けてある。貫通孔２４ａ及び２４ｂはリレー７３の各通電用端子を挿通すべく長孔状である。リレー７３の２つの通電用端子７３ａ及び７３ｂ（後述する図９参照）は夫々貫通孔２４ａ及び２４ｂに挿通される。
【００２６】
ケーシング１の接続具収容部１５は、２つのハウジング１５ａ及び１５ｂを有する。ハウジング１５ａ及び１５ｂは夫々、断面が矩形の有底筒状をなし、底面が支持板１１と略面一としてある。ハウジング１５ａ及び１５ｂの底面には夫々貫通孔２５ａ及び２５ｂが設けてある。貫通孔２５ａ及び２５ｂはリレー７３の各制御用端子を挿通すべく長孔状である。リレー７３の２つの制御用端子７３ｃ及び７３ｄ（後述する図９参照）は夫々貫通孔２５ａ及び２５ｂに挿通される。
【００２７】
ケーシング１の接続具収容部１６は、２つのハウジング１６ａ及び１６ｂを有する。ハウジング１６ａ及び１６ｂは夫々、断面が矩形の有底筒状をなし、底面が支持板１１と略面一としてある。ハウジング１６ａ及び１６ｂの底面には夫々貫通孔２６ａ及び２６ｂが設けてある。貫通孔２６ａ及び２６ｂは抵抗器７４両端の端子を挿通すべく長孔状である。抵抗器７４の２つの端子（図示略）は夫々貫通孔２６ａ及び２６ｂに挿通される。
【００２８】
端子接続具５は、端子接続具５ａ〜５ｄのバリエーションがある。図５は端子接続具５ａの外観を示す斜視図であり、図６は端子接続具５ａの縦断側面図である。端子接続具５ａは、筒体５１、係止片５２、分岐導体５４、接続片５５を有し、各部品は導電性の材質でなる。筒体５１は断面が矩形の角筒状であり、リレー７１の端子７１ａがリレー７１の表面から突出する方向と同じ方向を軸方向とする。リレー７１の端子７１ａは、筒体５１の内部へ筒体５１の一端部５１ａ側から挿入され、他端部５１ｂ側からは接続片５５の一端部が挿入される。
【００２９】
係止片５２は、筒体５１の一側壁５１ｃの一端部５１ａ側に連続する短冊状の板部材を、一側壁５１ｃに対向する対向側壁５１ｄへ接近するように屈曲し、更に一側壁５１ｃ側に向かうように屈曲してなる。このように屈曲させることで、係止片５２は、対向側壁５１ｄとの間に僅かの隙間を有して接近した中途部分に第１係止部５２ａを、一側壁５１ｃとの間に僅かの隙間を有して接近した先端部分に第２係止部５２ｂを形成する。
【００３０】
分岐導体５４はＣ字状に屈曲した導電性の板材でなり、筒体５１の一側壁５１ｃの外面に溶着又は半田付け等によって固着され、筒体５１の側方へ突出するように設けられている。分岐導体５４は、基部５４ａ、延伸部５４ｂ、及び先端接続部５４ｃを有する。基部５４ａは、筒体５１の一側壁５１ｃに添って設けられ、一側壁５１ｃの外面に溶着又は半田付けによって固着することで、機械的かつ電気的に筒体５１に接続される。延伸部５４ｂは、基部５４ａの端部に連続しており、基部５４ａに対して直交して筒体５１の側方へ延伸している。先端接続部５４ｃは、延伸部５４ｂの端部に連続しており、延伸部５４ｂに対して直交している。
【００３１】
図５に示す先端接続部５４ｃは、並設された他の端子接続具に接続するべく、先端接続部５４ｃの幅が基部５４ａ及び延伸部５４ｂの幅よりも狭く、かつ、基部５４ａに対向するように設けられている。他の端子接続具の配置によっては、先端接続部５４ｃを延伸部５４ｂの端部で図５に示す場合と逆側に屈曲させることで、分岐導体５４が全体としてＺ字状をなすようにしてもよい。
【００３２】
接続片５５は矩形状をなす導電性の板であり、一端部が筒体５１の他端部５１ｂ側から筒体５１の内部に挿入され、第２係止部５２ｂと一側壁５１ｃとの隙間に係止される。接続片５５は、筒体５１に係止した状態で、筒体５１の他端部５１ｂから上方へ突出しており、上蓋３の蓋板３０を貫通し、蓋板３０の外面に設けたコネクタハウジング３１ａ内に突出する。
【００３３】
図７は別種の端子接続具５ｂの外観を示す斜視図である。端子接続具５ａと５ｂとは分岐導体５４の形状が異なっている以外、筒体５１、係止片５２、接続片５５は同等である。端子接続具５ｂは、他の端子接続具に接続するための先端接続部５４ｃを分岐導体５４に設けていない。端子接続具５ｂは、分岐導体５４の延伸部５４ｂに他のバスバー、電線等を接続して用いる。延伸部５４ｂへの他のバスバー、電線等の接続は、半田付けであってもよいし、延伸部５４ｂにナット等を取付けて螺子孔を設け、螺子締結するものでもよい。
【００３４】
また、別種の端子接続具５ｃ（図２参照）は、筒体５１、係止片５２及び接続片５５ｃを有し、分岐導体５４を有していない。接続片５５ｃの形状は、接続片５５の形状と異なるＺ字状としている。端子接続具５ｃは、接続片５５ｃの一端部を筒体５１に上方から挿入して接続する。接続片５５ｃの他端部は、上蓋３の蓋板３０を面内方向に筒体５１からオフセットした位置で貫通させ、蓋板３０の外面に設けたコネクタハウジング３１ｃ内に突出するようにしてある。また、別種の端子接続具５ｄは、筒体５１、係止片５２及び接続片５５を有し、分岐導体５４を有しない構成にしたものである。
【００３５】
図８は、上蓋３を取り外した電気接続箱１００の斜視図である。端子接続具５ａ〜５ｄは、夫々ケーシング１内の支持板１１に設けた接続具収容部１２のハウジング１２ａ〜１２ｄに挿入してケーシング１内に装着され、支持板１１によって支持されている。また、他の接続具収容部１３〜１６の夫々のハウジングにも同様に、筒体５１及び係止片５２で構成される端子接続具（図示略）を挿入して装着してある。尚、接続具収容部１３〜１６に装着される端子接続具には、配索経路に応じた形状の接続片を上方から挿入して係止させる。
【００３６】
図９は電子接続箱１００の回路構成を示す模式図である。リレー７１の通電用端子７１ａは、端子接続具５ａの分岐導体５４により、リレー７３の通電用端子７３ｂに接続される。リレー７３の通電用端子７３ａは、導電性の接続片８１を用いて、抵抗器７４の一端側の端子７４ａに接続する。抵抗器７４の他端側の端子７４ｂは、バスバー８２を用いて、リレー７１の通電用端子７１ｂに接続される。尚、バスバー８２は端子接続具５ｂにおける分岐導体５４の延伸部５４ｂに半田付け等によって電気的に接続される。リレー７３及び抵抗器７４を直列接続した回路は、プリチャージ用回路として機能する。
【００３７】
リレー７１の制御用端子７１ｃ及び７１ｄ、並びにリレー７２の制御用端子７２ｃ及び７２ｄには、配索経路に応じて適宜屈曲させた板状の接続片の一端部を接続する。該接続片の他端部は、コネクタ部３２のコネクタハウジングの底面に設けた貫通孔に挿通させ、コネクタハウジング内に突出させる。同様にリレー７３の制御用端子７３ｃ及び７３ｄにも、配索経路に応じて適宜屈曲させた板状の接続片の一端部を接続し、接続片の他端部をコネクタ部３３のコネクタハウジング内に突出させる。
【００３８】
リレー７１は、ケーシング１に下方から差し込んで装着することにより、通電用端子７１ａが貫通孔２２ａに挿通されてハウジング１２ａ内に突出し、通電用端子７１ｂが貫通孔２２ｂに挿通されてハウジング１２ｂ内に突出する。ハウジング１２ａ内に突出した通電用端子７１ａの先端部は、ハウジング１２ａに装着された端子接続具５ａの一端部５１ａから筒体５１の内部に挿入され、第１係止部５２ａと対向側壁５１ｄとの隙間に係止され、端子接続具５ａに電気的に接続される。同様に、ハウジング１２ｂ内に突出した通電用端子７１ｂの先端部は、ハウジング１２ｂに装着された端子接続具５ｂの一端部５１ａから筒体５１の内部に挿入され、第１係止部５２ａと対向側壁５１ｄとの隙間に係止され、端子接続具５ｂに電気的に接続される。
【００３９】
端子接続具５ａ及び５ｂにおける筒体５１の他端部５１ｂに挿入された接続片５５の一端部は、第２係止部５２ｂと一側壁５１ｃとの隙間に係止して電気的に筒体５１に接続される。接続片５５の他端部は、貫通孔４１ａ及び４１ｂに挿通され、上蓋３に設けたコネクタ部３１におけるコネクタハウジング３１ａ及び３１ｂ内に突出する。電源装置及び電気負荷に接続される電線の端部に配したコネクタをコネクタハウジング３１ａ及び３１ｂに挿入して取り付けることで、接続片５５の他端部が電源装置及び電気負荷に接続される電線に電気的に接続され、リレー７１の通電用端子７１ａ及び７１ｂが電源装置及び電気負荷に接続される電線に接続される。
【００４０】
同様に、リレー７２の通電用端子７２ａ及び７２ｂは夫々端子接続具５ｃ及び５ｄを介して電源装置及び電気負荷に接続される電線に接続される。リレー７３の通電用端子７３ａ及び７３ｂは、電気接続箱１００の内部の回路に接続される。
【００４１】
以上のとおり本実施形態によれば、端子接続具５ａ〜５ｄは、リレー７１及び７２等の電気部品の表面から突出した通電用端子７１ａ、７１ｂ、７２ａ及び７２ｂを、電源装置や電気負荷等の外部装置に接続される電線に接続する。端子接続具５ａ〜５ｄは、導電性の筒体５１を有し、筒体５１の一端部５１ａから挿入される通電用端子７１ａ、７１ｂ、７２ａ及び７２ｂを第１係止部５２ａにより係止し、筒体５１の他端部５１ｂから一端部が挿入される接続片５５及び５５ｃを第２係止部５２ｂより係止する。接続片５５及び５５ｃの他端部には前記電線を接続する。分岐導体５４は筒体５１の一側壁５１ｃの側面に溶着又は半田付け等によって固着されており、筒体５１の側方へ突出する。端子接続具５ａ等が分岐導体５４を有することでバスバー使用量が削減され、筒体５１と別体で製造した分岐導体５４を筒体５１に固着することで、長さの異なる分岐導体を容易に製造することができ、製造コストを抑制することができる。
【００４２】
また本実施形態によれば、端子接続具５ａの分岐導体５４の先端部５４ｃが延伸部５４ｂに対して屈曲しているので、並設された他の端子接続具への接続が可能となる。
【００４３】
また本実施形態によれば、電気接続箱１００はケーシング１を有してリレー７１及び７２等の電気部品を装着し、ケーシング１の内部に端子接続具５ａ〜５ｄを設ける。これにより、分岐が必要な端子接続具５ａ等が分岐導体を有することでバスバー使用量が削減されるので、電気接続箱１００の小型化を図ることができる。
【００４４】
（実施の形態２）
図１０は実施の形態２に係る端子接続具６の外観を示す斜視図、図１１は端子接続具６の筒体６１の外観を示す斜視図である。実施の形態２に係る電気接続箱１００は、実施の形態１における端子接続具５を図１０に示す端子接続具６に置き換え、その他の電子接続箱１００の構成は実施の形態１と同様とする。端子接続具６は筒体６１、第１係止部６２、第２係止部６３、分岐導体６４及び接続片５５を有し、いわゆるファストン型である。筒体６１は導電性を有し、側壁６１ａの側端部から側端部間の略中央部にかけてアーチ状に設けた第１係止部６２及び第２係止部６３によって形成される。分岐導体６４は、実施の形態１における分岐導体５４と同等の構成であり、基部６４ａ及び延伸部６４ｂを有している。分岐導体６４は、更に延伸部６４ｂに連なる先端接続部を設けるようにしてもよい。
【００４５】
第１係止部６２は、筒体６１の下端部から中央部にかけて設けてあり、先端部６２ａが側壁６１ａと僅かの隙間を有して対向する。第２係止部６３は、筒体６１の上端部から中央部にかけて設けてあり、先端部６３ａが側壁６１ａと僅かの隙間を有して対向する。リレー７１の通電用端子７１ａ及び７１ｂ、並びにリレー７２の通電用端子７２ａ及び７２ｂは、筒体６１の下端部から挿入され、側壁６１ａと第１係止部６２の先端部６２ａとの隙間に係止され、筒体６１と電気的に接続される。接続片５５は導電性を有し、筒体６１の上端部から挿入され、側壁６１ａと第２係止部６３の先端部６３ａとの隙間に係止され、筒体６１と電気的に接続される。
【００４６】
端子接続具６は、実施の形態１における端子接続具５ａ〜５ｄに比べて、第１係止部６２及び第２係止部６３を容易に形成することができ、製造コストを低減することができる。尚、本発明の電気接続箱１００における端子接続具の構造は、実施の形態１及び実施の形態２において説明した構造に限られるものではない。
【００４７】
（変形例）
図１２は変形例に係る端子接続具５ａの外観を示す斜視図である。本変形例では、分岐導体５４の延伸部５４ｂは、長手方向の中途部から幅を狭くし、中途部から先端に亘る任意の箇所で屈曲して先端接続部５４ｃを形成するようにしてある。電気接続箱１００は、車輌等に搭載された電源装置の種類に応じて装着するリレー等の電気部品の構成が異なり、ケーシング内部の電気回路の配置も異なる。
【００４８】
図１２に示す端子接続具５ａは、延伸部５４ｂの中途部から先端接続部５４ｃの任意の箇所で屈曲させて先端接続部５４ｃを形成することで、分岐導体５４を接続する相手側の端子接続具との位置関係が異なる複数種類の電気接続箱１００において共通的に用いることができる。従って、本変形例に係る端子接続具５ａは、複数種類の端子接続具１００毎に別種の端子接続具５ａを製造する必要がないため、端子接続具の製造コストを低減することができる。
【００４９】
図１３は他の変形例に係る端子接続具５ａの外観を示す斜視図である。本変形例に係る端子接続具５ａは、延伸部５４ｂが先端にかけて二股に分岐しており、２つの先端接続部５４ｃが形成される。この端子接続具５ａによって、分岐導体５４を接続する相手側の端子接続具、又は回路中の接続箇所が２つある場合に対応することが可能である。また、延伸部５４ｂの分岐は２つに限られるものではなく、３つ以上に分岐する構成としてもよい。
【００５０】
なお、開示された実施の形態は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【００５１】
１  ケーシング
５ａ、５ｂ、５ｃ、５ｄ  端子接続具
５１  筒体
５２ａ  第１係止部
５２ｂ  第２係止部
５４  分岐導体
５４ｃ  先端接続部（先端部）
５５、５５ｃ  接続片
６  端子接続具
６１  筒体
６２  第１係止部
６３  第２係止部
６４  分岐導体
７１、７２  リレー（電気部品）
７１ａ、７１ｂ、７２ａ、７２ｂ  通電用端子（端子）
１００  電気接続箱
【図１】
2015019470.tif 000003
【図２】
2015019470.tif 000004
【図３】
2015019470.tif 000005
【図４】
2015019470.tif 000006
【図５】
2015019470.tif 000007
【図６】
2015019470.tif 000008
【図７】
2015019470.tif 000009
【図８】
2015019470.tif 000010
【図９】
2015019470.tif 000011
【図１０】
2015019470.tif 000012
【図１１】
2015019470.tif 000013
【図１２】
2015019470.tif 000014
【図１３】
2015019470.tif 000015